(57)【要約】  多段式マストモジュールはマストリフトと協働可能である。マストリフトは、多段式マストモジュールを支持する基部と、多段式マストモジュールと結合されるプラットフォームを含む。多段式マストモジュールは、複数の伸縮マスト部を含むマストユニットと、マストユニットの伸縮マスト部の間に連結された多段式駆動装置を含む。ガススプリングが、マストユニットの前記伸縮マスト部間に連結される。ガススプリングは隣接した伸縮マスト部の間で作用する。
2013539444.tif 000002
【特許請求の範囲】
【請求項１】
多段式マストモジュールを支持する基部、及び前記多段式マストモジュールに結合されたプラットフォームを含むマストリフト用の、多段式マストモジュールであって、複数の伸縮マスト部を含むマストユニットと、
前記マストユニットの前記伸縮マスト部の間に連結され、隣接した前記伸縮マスト部の間にそれぞれ作動可能に位置し且つ前記伸縮マスト部を格納位置と伸長位置の間で変位させるように駆動されるアクメねじを含む多段式駆動装置と、
前記マストユニットの前記伸縮マスト部の間に連結され、前記隣接した前記伸縮マスト部の間で作用するガススプリングとを備える多段式マストモジュール。
【請求項２】
前記多段式駆動装置が入れ子式アクメねじを備える請求項１に記載の多段式マストモジュール。
【請求項３】
前記多段式駆動装置がオフセットアクメねじを備える請求項１に記載の多段式マストモジュール。
【請求項４】
前記ガススプリングが前記伸縮マスト部を伸長位置に向かって付勢する方向に向けられる請求項１に記載の多段式マストモジュール。
【請求項５】
さらに、第２多段式マストモジュールを支持するように成形され設置された支持構造を備える請求項１に記載の多段式マストモジュール。
【請求項６】
さらに、第２多段式マストモジュールまたは前記基部の支持構造と選択的に結合可能な連結構造を備える請求項１に記載の多段式マストモジュール。
【請求項７】
前記マストユニットが、下部マスト、前記下部マストに対して可動な中央部マスト、前記中央部マストに対して可動な上部マストを備える請求項１に記載の多段式マストモジュール。
【請求項８】
第１アクメねじ及び第２アクメねじを備え、
前記第１アクメねじは、一端が前記下部マストか前記中央部マストの一方に回転可能に固定され、反対端が前記下部マストか前記中央部マストの他方に固定された下部ナットに係合され、
前記第２アクメねじは、一端が前記中央部マストか前記上部マストの一方に回転可能に固定され、反対端が前記中央部マストか前記上部マストの他方に固定された上部ナットに係合され、
前記第１アクメねじを前記下部ナットに対して回転させることで、前記中央部マストが、前記下部マストに対して移動し、前記第２アクメねじを前記上部ナットに対して回転させることで、前記上部マストが、前記中央部マストに対して移動する請求項７に記載の多段式マストモジュール。
【請求項９】
第１ガススプリング及び第２ガススプリングを備え、前記第１ガススプリングは前記下部マストと前記中央部マストの間で作用し、前記第２ガススプリングは前記中央部マストと前記上部マストの間で作用する請求項８に記載の多段式マストモジュール。
【請求項１０】
前記第１ガススプリング及び前記第２ガススプリングが順番に作動する請求項９に記載の多段式マストモジュール。
【請求項１１】
前記第１アクメねじ及び前記第２アクメねじの一方が、前記第１アクメねじ及び前記第２アクメねじの他方を収容する中空管を備え、前記下部ナット及び前記上部ナットの各一方が前記中空管内に配置される請求項８に記載の多段式マストモジュール。
【請求項１２】
前記第一アクメねじが前記第２アクメねじの片側にオフセットされ、前記第１アクメねじからのトルクが前記第２アクメねじに伝達され、前記第２アクメねじからのトルクが前記第１アクメねじに伝達されるように、前記多段式駆動装置が、前記第１アクメねじと前記第２アクメねじを回転結合する連結構造を備える請求項８に記載の多段式マストモジュール。
【請求項１３】
前記連結構造が、歯付きベルト及び歯車のうち一つを備える請求項１２に記載の多段式マストモジュール。
【請求項１４】
基部と
前記基部に固定可能な第１多段式マストモジュールであって、
複数の伸縮マスト部を含むマストユニットと、
前記マストユニットの前記伸縮マスト部の間に連結され、隣接した前記伸縮マスト部の間にそれぞれ作動可能に位置し且つ前記伸縮マスト部を格納位置と伸長位置の間で変位させるように駆動される前記アクメねじを含む多段式駆動装置と、
前記マストユニットの前記伸縮マスト部の間に連結され、前記隣接した前記伸縮マスト部の間で作用するガススプリングとを含む第１多段式マストモジュールと、
前記第１多段式マストモジュールに固定可能なプラットフォームとを含むマストリフト。
【請求項１５】
前記第１多段式マストモジュールが、第２多段式マストモジュールを支持するように成形され設置された支持構造を備える請求項１４に記載のマストリフト。
【請求項１６】
前記第１多段式マストモジュールがさらに、第２多段式マストモジュールまたは前記基部の支持構造と選択的に結合可能な連結構造を備える請求項１４に記載のマストリフト。
【請求項１７】
さらに前記第１多段式マストモジュール及び前記基部の間で選択的に結合可能な第２多段式マストモジュール備える請求項１４に記載のマストリフト。
【請求項１８】
前記基部が、第１多段式マストモジュールまたは第２多段式マストモジュールが着脱可能に取り付けられる基部スタンプを備え、前記第２多段式マストモジュールは、前記第１多段式マストモジュールが着脱可能に取り付けられるモジュールスタンプを備える請求項１７に記載のマストリフト。
【請求項１９】
基部と
前記基部に固定可能であって、第１の複数の伸縮マスト部を含む第１多段式マストモジュールと、
前記第１多段式マストモジュール及び前記基部の間で選択的に結合可能であって、第２の複数の伸縮マスト部を含む第２多段式マストモジュールと
前記第１多段式マストモジュールに固定可能なプラットフォームとを含むモジュール式持ち運び可能なマストリフト。
【請求項２０】
第１多段式マストモジュール及び第２多段式マストモジュールがそれぞれ
手持ちパワードリルを介して駆動可能なリフトアセンブリと、
前記伸縮マスト部の間に連結され、隣接した前記伸縮マスト部の間で作用するガススプリングを備える請求項１９に記載のモジュール式持ち運び可能なマストリフト。
【請求項２１】
基部と
前記基部に支持される多段式マストモジュールと、
前記多段式マストモジュールに連結されたプラットフォームとを備え、前記多段式マストモジュールが、複数の伸縮マスト部を含むマストユニットと、前記マストユニットの前記伸縮マスト部の間に連結された多段式駆動装置と、前記マストユニットの前記伸縮マスト部の間で連結され、前記隣接した前記伸縮マスト部の間で作用するガススプリングを含むマストリフト。
【発明の詳細な説明】
【技術分野】
【０００１】
関連出願の参照情報：本願は、２０１０年８月１７日に出願された米国仮特許出願第６１／３７４，３６８号の優先権を主張する。上記仮出願の開示全てをここに援用して本文の記載の一部とする。
【０００２】
本発明は作業者用リフトに関し、より具体的には、リフトシステムにより昇降される作業プラットフォームを含む、持ち運び可能なリフト機械に関する。ジェイエルジー  インダストリーズ  インクによるリフトポッド（登録商標）システムが、米国特許出願番号第１０／５９４，６６６号、米国特許出願番号第１１／５８１，７８５号、米国特許出願番号第１２／１９０，２１７号、米国特許出願番号第１２／２９３，７５９号、米国特許出願番号第１３／１９１，６７６号、米国（デザイン）特許番号第Ｄ５７０，０７１号、米国特許番号第７，６１４，４５９号、米国特許番号第７，７６２，５３２号、および米国特許番号第７，７６６，７５０号に記載されている。ｗｗｗ．ＬｉｆｔＰｏｄ．ｃｏｍも参照されたい。これら文献の内容を援用して本文の記載の一部とする。
【背景技術】
【０００３】
梯子の概念は、数千年前から存在する。しかし、現存する梯子は扱いにくく、操作が難しいことがある。さらに、従来の梯子は、特に平坦でない地面で不安定になることがあり、作業領域は作業者の手の届く範囲に制限される。
【０００４】
梯子製造会社は、動力機械製品の開発に消極的である。しかし、梯子の多数の利点（例えば、一人の操作者によって組み立てて使用することができる、軽量であるなど）を達成するとともに、持ち運び可能な動力機械における一層の安定性およびより広い作業領域を可能にする作業者用リフトを開発することが望ましい。
【０００５】
マストクライミング式プラットフォームは知られており、一般的に、自立するまたは、壁もしくは他の支持構造により支持されるマストを含む。しかし、現存するマスト式クライマは、安全使用荷重が約４５４ｋｇ（１０００ポンド）であり、少なくともそのサイズのために、一人のユーザによって持ち運ぶことも操作することも不可能である。垂直マスト製品および空中作業プラットフォームは、移動プラットフォームを含み、一般に垂直マスト製品および空中作業プラットフォームは、持ち運ぶには非常に大型でもあり、持ち運び易さ、低コスト、および使い易さに関して、梯子によりもたらされる多くの利点から大変かけ離れている。
【発明の概要】
【発明が解決しようとする課題】
【０００６】
持ち運び易さ、軽量性及び信頼性の高いリフトシステム機構を達成することは、作業者をリフトする装置に要求される機能をもたらすうえで望ましい。
【０００７】
本発明は概して、より高く手が届き（例えば、プラットフォームの高さが約４．３ｍ（１４フィート））、持ち運び可能なモジュールに（すなわち一人の人間によって運ばれるように）分解し、コードレスドリル技術によって駆動されるマストリフトに関する。この製品タイプは、既存の空中作業プラットフォーム（ＡＷＰ）技術では今のところ提供されない、多くの用途のための解決法を提供することができる。このような用途の一例は、既存のＡＷＰ技術が、大きさ、接近方法、床の耐力の制約のために、接近するのに使用できない、家庭用吹き抜け天井（ｄｏｕｂｌｅ  ｈｅｉｇｈｔ  ｃｅｉｌｉｎｇｓ）だろう。また、これらの場所に接近する通常の方法は、一般的に扱いにくく危険である、大きな梯子及び足場を用いることである。本設計の目的とする用途は、学校の体育館やホテルのロビー、工場の照明も含む。
【課題を解決するための手段】
【０００８】
例示的な実施形態では、多段式マストモジュールは、マストリフトと協働可能である。マストリフトは、多段式マストモジュールを支持する基部と、多段式マストモジュールと結合されたプラットフォームとを含む。多段式マストモジュールは、複数の伸縮マスト部（入れ子式伸縮マスト部、telescoping mast section）を含むマストユニットと、マストユニットの伸縮マスト部の間に連結された多段式駆動装置を含む。多段式駆動装置は、隣接した伸縮マスト部の間にそれぞれ動作可能に配置されたアクメねじを含む。アクメねじは、伸縮マスト部を格納位置と伸長位置の間で変位させる様に駆動される。ガススプリングがマストユニットの伸縮マスト部間に接続される。ガススプリングは、隣接した伸縮マスト部の間で作用する。
【０００９】
ある実施形態では、多段式駆動装置は入れ子式アクメねじを備える。あるいは、多段式駆動装置はオフセットアクメねじを含んでもよい。好ましくは、ガススプリングは伸長位置にむかって伸縮マスト部を付勢する方向に向けられる。
【００１０】
さらに、多段式マストモジュールは、第２多段式マストモジュールを支持するように成形され設置された支持構造を含んでもよい。また、多段式マストモジュールは、第２多段式マストモジュールまたは基部の支持構造と選択的に結合可能な連結構造を含んでもよい。
【００１１】
ある構成では、マストユニットは、下部マスト、下部マストに対して可動な中央部マスト、及び中央部マストに対して可動な上部マストを含む。このような構成においては、モジュールはさらに、第１アクメねじ及び第２アクメねじを含んでもよい。第１アクメねじは、一端が下部マスト及び中央部マストの一方に回転可能に固定され、反対の端が下部マスト及び中央部マストの他方に固定された下部ナットに係合している。第２アクメねじは、一端が中央部マスト及び上部マストの一方に回転可能に固定され、反対の端が中央部マスト及び上部マストの他方に固定された上部ナットに係合されている。第１アクメねじを下部ナットに対して回転させることにより、中央部マストが下部マストに対して移動し、第２アクメねじを上部ナットに対して回転させることにより、上部マストが中央部マストに対して移動する。
【００１２】
モジュールはさらに、第１ガススプリング及び第２ガススプリングを含んでもよく、第１ガススプリングは、下部マストと中央部マストの間で作用し、第２ガススプリングは、中央部マストと上部マストの間で作用する。好ましくは、第１ガススプリング及び第２ガススプリングは順番に（ｉｎ  ｓｅｒｉｅｓ）作動する。
【００１３】
第１アクメねじ及び第２アクメねじの一方は、第１アクメねじ及び第２アクメねじの他方を収容する中空管を含んでもよく、下部ナット及び上部ナットの各一方は中空管内に配置される。代替構成では、第１アクメねじは第２アクメねじの片側にオフセットされてもよく、さらに、多段式駆動装置は、第１アクメねじからのトルクが第２アクメねじに伝達され、第２アクメねじからのトルクが第１アクメねじに伝達されるように第１アクメねじと第２アクメねじを回転結合する、歯付きベルトや歯車のような連結構造を含んでもよい。
【００１４】
他の例示的な実施形態では、マストリフトは、基部と、基部に固定可能な第１多段式マストモジュールを含む。第１多段式マストモジュールは複数の伸縮マスト部を含むマストユニット、及びマストユニットの伸縮マスト部の間に連結された多段式駆動装置を含む。多段式駆動装置は、隣接した伸縮マスト部の間に各々動作可能なように配置されたアクメねじを含む。アクメねじは、伸縮マスト部を格納位置と伸長位置の間で変位させる様に駆動される。また、第１多段式マストモジュールは、マストユニットの伸縮マスト部の間に接続されたガススプリングを含む。ガススプリングは、隣接した伸縮マスト部の間で作用する。また、マストリフトは第１多段式マストモジュールに固定可能なプラットフォームを含む。
【００１５】
さらに、マストリフトは、第１多段式マストモジュールと基部の間で選択的に結合可能な第２多段式マストモジュールを含んでもよい。このような構成においては、基部は、第１多段式マストモジュールまたは第２多段式マストモジュールを着脱可能に取り付けられる基部スタンプを含んでもよく、第２多段式マストモジュールは、第１多段式マストモジュールを着脱可能に取り付けられるモジュールスタンプを備える。
【００１６】
さらに他の例示的な実施形態では、モジュール式持ち運び可能なマストリフトは、基部と、基部に固定可能で且つ第１の複数の伸縮マスト部を含む第１多段式マストモジュールと、第１多段式マストモジュールと基部の間で選択的に連結可能で且つ第２の複数の伸縮マスト部を含む第２多段式マストモジュールと、第１多段式マストモジュールに固定可能なプラットフォームを含む。第１及び第２多段式マストモジュールは各々、手持ち式パワードリルを介して駆動可能なリフトアセンブリ、及び伸縮マスト部の間に接続されるガススプリングを含んでもよく、ガススプリングは隣接した伸縮マスト部の間で作用する。
【００１７】
さらに他の例示的な実施形態では、多段式マストモジュールはマストリフトと協働可能である。マストリフトは、多段式マストモジュールを支持する基部と、多段式マストモジュールに結合されたプラットフォームを含む。多段式マストモジュールは、複数の伸縮マスト部を含むマストユニットと、マストユニットの伸縮マスト部の間に連結された多段式駆動装置を含む。ガススプリングが、マストユニットの伸縮マスト部の間に連結される。ガススプリングは、隣接した伸縮マスト部の間で作用する。
【図面の簡単な説明】
【００１８】
本発明のこれらの態様および他の態様、並びに利点を、添付の図面を参照して説明する。
【図１】図１は、マストリフトのモジュール部品を示している。
【図２】図２は、例示的なマストモジュールの断面図である。
【図３】図３は、併置配置のアクメねじを含む、代替のマストモジュールの一部の斜視図である。
【図４】図４は、併置アクメねじ間の代替の結合を示している。
【図５】図５は、第２マストモジュールのスタンプ連結の斜視図である。
【図６】図６は、最大プラットフォーム高さに到達するために２つのマストモジュールを使用したマストリフトを示している。
【図７】図７は、単独のマストモジュールを用いたマストリフトを示している。
【発明を実施するための形態】
【００１９】
好ましい実施形態によるマストリフトは、多用途性を提供し、運搬を容易にするため、モジュール部品から構成される。図１を参照すると、マストリフトは、基部１２、第１マストモジュール１４、第２マストモジュール１６、及びプラットフォーム１８を含む。図２を参照すると、マストモジュール１４、１６はそれぞれ、複数の伸縮マスト部を含むマストユニット２０からなる。具体的には、マストユニット２０は、下部マスト２２、下部マスト２２に対して可動な中央部マスト２４、及び中央部マスト２４に対して可動な上部マスト２６を含む。３つのマスト部２２，２４，２６が示されているが、マストユニット２０はより多い、またはより少ない部分を含んでもよい。
【００２０】
マストモジュール１４、１６には、伸縮マスト部２２、２４、２６を格納位置と伸長位置の間で変位させるように働く多段式駆動装置２８を備える。示されているように、多段式駆動装置２８は、隣接した伸縮マスト部（それぞれ２２、２４及び２４，２６）の間でそれぞれ動作可能なように配置されたアクメねじ３０、３２を含んでもよい。
【００２１】
使用にあたって、アクメねじ３０、３２はそれぞれ、一端がマスト部の一つに回転可能に固定され、反対端は隣接したマスト部に固定されたナット３４、３６に締結される。アクメねじ３０、３２をナット３４、３６に対して回転させることにより、アクメねじ３０、３２がナット３４、３６に対して軸方向に移動し、それによって、中央部マスト２４及び上部マスト２６が、互いに対して、及び下部マスト２２に対して移動する。
【００２２】
図２に示す実施形態において、多段式駆動装置２８は、２段入れ子式アクメ駆動装置として構成される。駆動装置の第１段は、上部マスト２６に軸方向に取り付けられたアクメねじ３２である。第１段アクメねじ３２は、適切なコネクタ３８を介して上部マスト２６に回転可能に固定される。示されているように、第１段アクメねじ３２の部分４０は、上部マスト２６の外側まで延在する。第２段アクメねじ３０は、第１段アクメねじ３２を収容する大きさに形成された内径を有する中空管を備える。中空管には、外壁にねじ山が設けられる。第１段アクメねじ３２は、第２段アクメねじ３０の中空管内に固定されたナット３６で、中空管内に収容される。よって、第１段アクメねじ３２を回転することで、第１段アクメねじ３２が移動し、それによって上部マスト２６がナット３６及び中央部マスト２４に対して移動する。
【００２３】
中空管である第２段アクメねじ３０は、適切なコネクタ３８または同様のものを介して、中央部マスト２４に回転可能に固定される。第２段アクメねじ３０の外側のねじ山は、下部マスト２２に固定されたナット３４に収容される。それにより、第２段アクメねじ３０をナット３４内で回転させることで、上部マスト２４及び中央部マスト２６が下部マスト２２に対して軸方向に移動する。
【００２４】
マストモジュール１４、１６は、手持ちのパワードリルまたは同様の動力駆動装置を第１段アクメねじ３２の部分４０に取り付けることで、格納位置と伸長位置の間で変位可能である。理論的には、動力源は、下方から第２段アクメねじに適用され得る。第１段アクメねじ３２はより小さい直径を有し、その結果としてより低い摩擦係数を有するため、直径の比によって、まず第１段アクメねじ３２が駆動される。このようにして、上部マスト２６は、その下方の中央部マスト２４及び下部マスト２２から上方へ伸長する。第１段アクメねじ３２が、その運動距離の端まで到達するとき、第２段（中空管）アクメねじ３０が上昇する。第２段アクメねじ３０は、より直径が大きいことによってより高い摩擦係数を有する。第２段アクメねじ３０の回転が継続されることで、中央部マスト２４及び上部マスト２６が下部マスト２２に対して移動する。
【００２５】
当業者によって理解される通り、マストモジュール１４、１６のさらなる到達及び伸長性能を提供するために、追加の段が用いられてもよい。第３段は同様に、第２段アクメねじ３０を収容するためのナットを内側に固定した中空管アクメねじを備えてもよく、さらに別のマスト部に固定されたさらに別のナットにおいて移動可能な、中空管アクメねじの外側のねじ山を備えてもよい。追加の段のための所要電力は、アクメねじの直径が増加するにつれて、段ごとに増加し、コードレス手持ちパワードリルの使用は限界があるだろう。
【００２６】
引き続き図２を参照すると、マストモジュール１４、１６は、さらに、マストユニット２０の伸縮マスト部２２、２４、２６の間に連結されたガススプリング４２、４４を含む。ガススプリング４２、４４は、隣接した伸縮マスト部２２、２４、２６の間で作用する。ガススプリング４２，４４は、順番に作動し、伸長位置にむかって伸縮マスト部２２、２４、２６を付勢するように構成される。第１ガススプリング４２は、下部マスト２２と中央部マスト２４の間で作用する。ガススプリング４２の一端は、適切なコネクタ４６を介して下部マスト２２に固定される。ガススプリング４２の反対端は、適切なコネクタ４６を介して中央部マスト２４に固定される。第２ガススプリング４４は、中央部マスト２４と上部マスト２６の間で作用し、その端は、それぞれ、中央部マスト２４及び上部マスト２６に適切なコネクタ４６を介して固定される。
【００２７】
ガススプリング４２、４４は、好ましくは圧搾空気のガススプリングであり、両方の駆動装置を手持ちコードレスドリルの動力限度内で作動させるように、直列的に（ｉｎ
ｓｅｒｉｅｓ）配置される。ガススプリング定格力は、機械の対象とする動作荷重のための最適なバランスを提供するように選択される。ガススプリング定格容量は、最小容量及び最大容量に加えて、機械を上昇及び降下させる両方の所要の力を考慮して決定される。
【００２８】
２段式入れ子式アクメ駆動装置２８の代替として、アクメねじは、オフセットした形態に配置され得る。図３は、マストモジュールが格納位置にある、２段式オフセットアクメ駆動装置１２８の一部分を示す。オフセットアクメ駆動装置は、第１アクメねじ１３０及び第２アクメねじ１３２を含む。各ねじのそれぞれの伸縮マスト部への結合は、２段式入れ子式アクメ駆動装置２８と同様である。しかし、上段アクメねじが第２段アクメねじに入れ子式に出入りする代わりに、第１段１３０は第２段１３２の片側にオフセットされる。アクメねじ１３０、１３２は、第１段から第２段にトルクを伝達するために、適切なコネクタ１３４を介して回転結合される。例示的なコネクタ１３４が、図３に歯付きベルト駆動装置として示されている。歯車や他のベルト駆動装置のような任意の一般的な結合機構が用いられ得る。例示的な歯車結合１３５が図４に示される。また、オフセットアセンブリは、ねじの不支持部の長さが最長となるときにねじのしなりを制御する助けとなる、ガイドチューブ１３６及びガイド１３７を含んでもよい。また、これらのガイドチューブ１３６は、ねじ山を潤滑に保つためのグリースハウスとして働く。
【００２９】
入れ子式駆動装置のように、手持ちコードレスドリルまたは等価の動力システムが第１段アクメねじ１３０の頂部に取り付けられ得る。第１段アクメねじ１３０が完全伸長量に到達すると、第２段アクメねじ１３２がその最大高さに到達するまで駆動される。アクメねじ１３０、１３２の配置に応じて、第１段及び第２段が、同時に伸長、格納されてもよい。上述のように、駆動装置の動力の付与は、マストの底部からの付与、または場合によってはヘリカルまたはウォーム駆動を用いた横からの付与を含む、いくつかの異なる形態で実行されてもよい。
【００３０】
オフセットアクメ駆動装置を図３に示されているよりも多くの段を通して用いることは、理論的に実行可能である。そのようにするには、第１駆動装置から第２駆動装置への結合の反復、例えば、第２アクメねじが第３段に結合され、第３アクメねじが第４段に結合されるなどが必要となる。
【００３１】
入れ子式駆動配置でもオフセット駆動配置でも、アクメねじは回転固定されてもよく、一方、対応するナットは、ねじをナットに対して軸方向に移動させ（それによりマストモジュールを伸長、格納させ）る回転のために固定される。さらに、アセンブリは、両方の手段を組み合わせてもよく、または他の代替手段を組み合わせてもよい。例えば、オフセット駆動配置を用いて、第１段ナットが、第２段ナットに歯付きベルトシステムか同様のものを介して結合されてもよい。第２段アクメねじが固定保持されてもよく、中央部の下部に対する動きを生じさせるため、第２段ナットが回転される。他の構成も考えられ、本発明は必ずしも特定の構成に限定されることを意図するものではない。
【００３２】
図１及び５を参照すると、基部１２は、第１多段式マストモジュール１４または第２多段式マストモジュール１６を着脱可能に取り付けられる基部スタンプ４８を含む。マストモジュール１４、１６は基部スタンプ４８上に、ピンか他の適切な固定機構を介して固定されてもよい。第２マストモジュール１６は、同様に構成された、第１多段式マストモジュール１４を着脱可能に取り付けられるモジュールスタンプ５０を含む。同様のピンまたは固定機構が第１モジュール１４を第２モジュール１６のモジュールスタンプ５０に固定する。このモジュール構成を用いると、図６に示すように、マストリフトは、第１及び第２マストモジュール１４、１６の両方を用いて、最大高さ用に構成され得る。例示的な構成では、マストモジュール１４、１６の両方を用いて、マストリフトは、約４．３ｍ（１４フィート）のプラットフォーム高さまで到達し得る。図７を参照すると、より低いプラットフォーム高さ、例えば約２．４ｍ（８フィート）が要望される場合、第１マストモジュール１４が基部スタンプ４８に直接固定されうる。
【００３３】
約４．３ｍ（１４フィート）の機械として組み合わせて使用される場合、マストモジュール１４、１６は、両方とも手持ちコードレスドリルを用いて順番に駆動されるか、２個のモータ、制御ボックス、及びコードレスバッテリーを含む専用の動力システムを用い、並行して駆動され得る。２個のモータは、機械を最大高さへ駆動させるために順番にまたは同時に駆動され得る。
【００３４】
記載された技術は、リフトポッド（登録商標）技術において著しい進展であり、以前の設計に対して多くの利益を提供する。これらの利益のいくつかは以下を含む。
・以前の設計より９０％少ない部品
・伸縮自在であり、収納状態で高さが１／３である‐保管や運搬するのに、よりコンパクトである
・より効率的である‐初期特性は、記載した技術が、従来の機械より最大５０％効率的であ（り、結果として充電あたりの稼働時間が長くな）ることを示す
・記載した技術の製造コストは従来のマストより約６０％少ない‐（主に部品の減少及び機械を駆動する機械システムの単純化による）売上原価の著しい減少
【００３５】
本発明は、最も実用的であり好ましい実施形態であると現在考えられるものに関連して記載したが、本発明は開示された実施形態に限定されないこと、それとは逆に、添付の特許請求の範囲の精神および範囲内に含まれる種々の改変および等価な構成を包含するように意図されたものであることが理解されるべきである。
【図１】
2013539444.tif 000003
【図２】
2013539444.tif 000004
【図３】
2013539444.tif 000005
【図４】
2013539444.tif 000006
【図５】
2013539444.tif 000007
【図６】
2013539444.tif 000008
【図７】
2013539444.tif 000009
【手続補正書】
【提出日】平成24年6月18日(2012.6.18)
【手続補正１】
【補正対象書類名】特許請求の範囲
【補正対象項目名】全文
【補正方法】変更
【補正の内容】
【特許請求の範囲】
【請求項１】
多段式マストモジュールを支持する基部、及び前記多段式マストモジュールに結合されたプラットフォームを含むマストリフト用の、多段式マストモジュールであって、複数の伸縮マスト部を含むマストユニットと、
前記マストユニットの前記伸縮マスト部の間に連結され、隣接した前記伸縮マスト部の間にそれぞれ作動可能に位置し且つ前記伸縮マスト部を格納位置と伸長位置の間で変位させるように駆動されるアクメねじを含む多段式駆動装置と、
前記マストユニットの前記伸縮マスト部の間に連結され、前記隣接した前記伸縮マスト部の間で作用するガススプリングとを備え、
前記多段式マストモジュールは、前記マストリフトに対して選択的に連結可能及び除去可能であり、それ自体で独立した持ち運び可能なアセンブリである多段式マストモジュール。
【請求項２】
前記多段式駆動装置が入れ子式アクメねじを備える請求項１に記載の多段式マストモジュール。
【請求項３】
前記多段式駆動装置がオフセットアクメねじを備える請求項１に記載の多段式マストモジュール。
【請求項４】
前記ガススプリングが前記伸縮マスト部を伸長位置に向かって付勢する方向に向けられる請求項１に記載の多段式マストモジュール。
【請求項５】
さらに、第２多段式マストモジュールを支持するように成形され設置された支持構造を備える請求項１に記載の多段式マストモジュール。
【請求項６】
さらに、第２多段式マストモジュールまたは前記基部の支持構造と選択的に結合可能な連結構造を備える請求項１に記載の多段式マストモジュール。
【請求項７】
前記マストユニットが、下部マスト、前記下部マストに対して可動な中央部マスト、前記中央部マストに対して可動な上部マストを備える請求項１に記載の多段式マストモジュール。
【請求項８】
第１アクメねじ及び第２アクメねじを備え、
前記第１アクメねじは、一端が前記下部マストか前記中央部マストの一方に回転可能に固定され、反対端が前記下部マストか前記中央部マストの他方に固定された下部ナットに係合され、
前記第２アクメねじは、一端が前記中央部マストか前記上部マストの一方に回転可能に固定され、反対端が前記中央部マストか前記上部マストの他方に固定された上部ナットに係合され、
前記第１アクメねじを前記下部ナットに対して回転させることで、前記中央部マストが、前記下部マストに対して移動し、前記第２アクメねじを前記上部ナットに対して回転させることで、前記上部マストが、前記中央部マストに対して移動する請求項７に記載の多段式マストモジュール。
【請求項９】
第１ガススプリング及び第２ガススプリングを備え、前記第１ガススプリングは前記下部マストと前記中央部マストの間で作用し、前記第２ガススプリングは前記中央部マストと前記上部マストの間で作用する請求項８に記載の多段式マストモジュール。
【請求項１０】
前記第１ガススプリング及び前記第２ガススプリングが順番に作動する請求項９に記載の多段式マストモジュール。
【請求項１１】
前記第１アクメねじ及び前記第２アクメねじの一方が、前記第１アクメねじ及び前記第２アクメねじの他方を収容する中空管を備え、前記下部ナット及び前記上部ナットの各一方が前記中空管内に配置される請求項８に記載の多段式マストモジュール。
【請求項１２】
前記第一アクメねじが前記第２アクメねじの片側にオフセットされ、前記第１アクメねじからのトルクが前記第２アクメねじに伝達され、前記第２アクメねじからのトルクが前記第１アクメねじに伝達されるように、前記多段式駆動装置が、前記第１アクメねじと前記第２アクメねじを回転結合する連結構造を備える請求項８に記載の多段式マストモジュール。
【請求項１３】
前記連結構造が、歯付きベルト及び歯車のうち一つを備える請求項１２に記載の多段式マストモジュール。
【請求項１４】
基部と
前記基部に固定可能な第１多段式マストモジュールであって、
複数の伸縮マスト部を含むマストユニットと、
前記マストユニットの前記伸縮マスト部の間に連結され、隣接した前記伸縮マスト部の間にそれぞれ作動可能に位置し且つ前記伸縮マスト部を格納位置と伸長位置の間で変位させるように駆動される前記アクメねじを含む多段式駆動装置と、
前記マストユニットの前記伸縮マスト部の間に連結され、前記隣接した前記伸縮マスト部の間で作用するガススプリングとを含む第１多段式マストモジュールと、
前記第１多段式マストモジュールに固定可能なプラットフォームとを含み、
前記第１多段式マストモジュールは、前記マストリフトに対して選択的に連結可能及び除去可能であり、それ自体で独立した持ち運び可能なアセンブリであるマストリフト。
【請求項１５】
前記第１多段式マストモジュールが、第２多段式マストモジュールを支持するように成形され設置された支持構造を備える請求項１４に記載のマストリフト。
【請求項１６】
前記第１多段式マストモジュールがさらに、第２多段式マストモジュールまたは前記基部の支持構造と選択的に結合可能な連結構造を備える請求項１４に記載のマストリフト。
【請求項１７】
さらに前記第１多段式マストモジュール及び前記基部の間で選択的に結合可能な第２多段式マストモジュール備える請求項１４に記載のマストリフト。
【請求項１８】
前記基部が、第１多段式マストモジュールまたは第２多段式マストモジュールが着脱可能に取り付けられる基部スタンプを備え、前記第２多段式マストモジュールは、前記第１多段式マストモジュールが着脱可能に取り付けられるモジュールスタンプを備える請求項１７に記載のマストリフト。
【請求項１９】
基部と
前記基部に対して独立して固定可能及び除去可能であって、第１の複数の伸縮マスト部を含む第１多段式マストモジュールと、
前記第１多段式マストモジュール及び前記基部の間に対して選択的に独立して結合可能及び除去可能であって、第２の複数の伸縮マスト部を含む第２多段式マストモジュールと
前記第１多段式マストモジュールに固定可能なプラットフォームとを含み、
前記第１多段式マストモジュール及び前記第２多段式マストモジュールがそれぞれ、
手持ちパワードリルを介して駆動されるリフトアセンブリと、
前記伸縮マスト部の間に連結されたガススプリングであって、隣接した前記伸縮マスト部の間で作用するガススプリングを備えるモジュール式持ち運び可能なマストリフト。
【請求項２０】
基部と
前記基部に支持される多段式マストモジュールと、
前記多段式マストモジュールに連結されたプラットフォームとを備え、前記多段式マストモジュールが、複数の伸縮マスト部を含むマストユニットと、前記マストユニットの前記伸縮マスト部の間に連結された多段式駆動装置と、前記マストユニットの前記伸縮マスト部の間で連結され、前記隣接した前記伸縮マスト部の間で作用するガススプリングを含み、
前記多段式マストモジュールは、前記マストリフトに対して選択的に連結可能及び除去可能であり、それ自体で独立した持ち運び可能なアセンブリであるマストリフト。
【国際調査報告】
2013539444.tif 000010
2013539444.tif 000011